(57)【要約】【課題】食品の油や汁等が外部へ漏れ出し、外部の物が汚れてしまうことを抑制しつつ、少ない力で開きやすく、開く際に包装された内容物の形状が損なわれることを生じにくくすることができる包装シートを提供する。【解決手段】包装シート１は、食品を包装するためのシート材であって、２つの折り返し部により３つのシート部に区分される。第２のシート部１６は、第３のシート部１７と対向する面に、接着領域１６ａと、接着領域１６ａよりも第１の折り返し部１３側の領域である非接着領域１６ｂと、を有する。第３のシート部１７は、非接着領域１６ｂと対向する位置に、第３のシート部１７を貫通する複数の貫通部により形成された切取線１９を有する。【選択図】図１
2020189660.tif 000002
【特許請求の範囲】
【請求項１】
食品を包装するための包装シートであって、
少なくとも２つの折り返し部により区分される少なくとも３つのシート部を備え、
前記少なくとも２つの折り返し部は、第１の折り返し部と、第２の折り返し部と、を有し、
前記少なくとも３つのシート部は、第１のシート部と、前記第１のシート部と前記第１の折り返し部を介して連続する第２のシート部と、前記第２のシート部と前記第２の折り返し部を介して連続する第３のシート部と、を有し、
前記第２のシート部は、前記第３のシート部と対向する面に、前記第３のシート部と接着されている領域である接着領域と、前記接着領域よりも前記第１の折り返し部側の領域であって前記第３のシート部と接着されていない領域である非接着領域と、を有し、
前記第３のシート部は、前記非接着領域と対向する位置に、前記第３のシート部を貫通する複数の貫通部により形成された切取線を有する、包装シート。
【請求項２】
請求項１に記載の包装シートであって、
前記第２のシート部は、前記第３のシート部と対向する面とは反対側の面であって前記第１のシート部と対向する面に、前記第１のシート部と部分的に接着されている領域である部分接着領域を有する、包装シート。
【請求項３】
請求項２に記載の包装シートであって、
前記部分接着領域は、前記第２の折り返し部に沿った方向に間隔を空けて複数形成されている、包装シート。
【請求項４】
請求項１から請求項３までのいずれか１項に記載の包装シートであって、
前記接着領域が、前記第２のシート部における前記第２の折り返し部側の縁部を含む、包装シート。
【請求項５】
請求項１から請求項４までのいずれか１項に記載の包装シートであって、
前記接着領域は、前記第２の折り返し部に沿った方向に延びる線であって前記第２のシート部を２つの領域に区分する前記線よりも前記第２の折り返し部側の全領域である、包装シート。
【請求項６】
請求項１から請求項５までのいずれか１項に記載の包装シートであって、
当該包装シートの一方の面は、熱溶着性を有するアクリル樹脂系のコート材の層により形成されており、
前記接着領域は、前記一方の面が熱溶着されることにより形成されている、包装シート。
【発明の詳細な説明】
【技術分野】
【０００１】
本開示は、食品を包装する包装シートに関する。
【背景技術】
【０００２】
特許文献１には、ハンバーガー等の手づかみで食べる食品を包装するための包装シートが開示されている。この包装シートは、食品側に位置する第１の折り返し部、及び、手が触れる側に位置する第２の折り返し部により、第１のシート部、第２のシート部及び第３のシート部に区分されている。そして、この包装シートには、２つの折り返し部でＮ字状に折り返されて３つのシート部が重なった重複部が形成されており、第１の折り返し部には、包装シートを開くための切断部が形成されている。また、この包装シートでは、第２のシート部における第１の折り返し部側が第３のシート部に接着されている。このような構成では、包装シートを貫通して形成された切断部を通じて食品の油や汁等が外部へ漏れ出し、外部の物が汚れてしまうことが抑制される。また、このような構成では、第２のシート部及び一体化した第３のシート部の一部を捲り返すように上方へ引っ張ることで、包装シートの一部が切断可能となっている。
【先行技術文献】
【特許文献】
【０００３】
【特許文献１】特開２０１６−５００４２号公報
【発明の概要】
【発明が解決しようとする課題】
【０００４】
しかしながら、上述した包装シートでは、食品側に位置する第１の折り返し部に形成された切断部から当該包装シートを開くため、第２のシート部及び一体化した第３のシート部の一部を、手が触れる側に位置する第２の折り返し部側から第１の折り返し部側へ捲り返すように引っ張っていた。このため、包装シートを開くために力が必要であった。また、包装シートを開く際に、包装シートに包装された内容物の形状が損なわれることがあった。例えば、包装シートに包装されたハンバーガーのバンズの両端が、包装シートを開く際に削れてしまうことがあった。
【０００５】
本開示の一局面は、食品の油や汁等が外部へ漏れ出し、外部の物が汚れてしまうことを抑制しつつ、少ない力で開きやすく、開く際に包装された内容物の形状が損なわれることを生じにくくすることができる包装シートを提供する。
【課題を解決するための手段】
【０００６】
本開示の一態様は、食品を包装するための包装シートであって、少なくとも２つの折り返し部により区分される少なくとも３つのシート部を備える。少なくとも２つの折り返し部は、第１の折り返し部と、第２の折り返し部と、を有する。少なくとも３つのシート部は、第１のシート部と、第２のシート部と、第３のシート部と、を有する。第２のシート部は、第１のシート部と第１の折り返し部を介して連続する。第３のシート部は、第２のシート部と第２の折り返し部を介して連続する。第２のシート部は、第３のシート部と対向する面に、第３のシート部と接着されている領域である接着領域と、接着領域よりも第１の折り返し部側の領域であって第３のシート部と接着されていない領域である非接着領域と、を有する。第３のシート部は、非接着領域と対向する位置に、第３のシート部を貫通する複数の貫通部により形成された切取線を有する。
【０００７】
このような構成では、第３のシート部における第２のシート部と重なる位置に切取線が形成されている。つまり、切取線は、第２のシート部により覆われている。このため、食品の油や汁等が外部へ漏れ出し、外部の物が汚れてしまうことを抑制することができる。また、このような構成では、接着領域において一体化した第２のシート部及び第３のシート部を第２の折り返し部側に真っ直ぐ引っ張ることで、切取線から包装シートを開くことが可能である。このため、第２のシート部及び一体化した第３のシート部の一部を捲り返すように上方へ引っ張る構成と比較して、少ない力で開きやすく、包装シートを開く際に包装された内容物の形状が損なわれることを生じにくくすることができる。
【０００８】
本開示の一態様では、第２のシート部は、第３のシート部と対向する面とは反対側の面であって第１のシート部と対向する面に、第１のシート部と部分的に接着されている領域である部分接着領域を有してもよい。このような構成によれば、第３のシート部に形成された切取線が第３のシート部と対向するように、接着領域において一体化した第２のシート部及び第３のシート部が反対側に折れ曲がることを抑制することができる。つまり、第１のシート部に対する、接着領域において一体化した第２のシート部及び第３のシート部の向きを規定することができる。
【０００９】
本開示の一態様では、部分接着領域は、第２の折り返し部に沿った方向に間隔を空けて複数形成されていてもよい。このような構成によれば、部分接着領域が１つしか形成されていない構成と比較して、第１のシート部に対する、接着領域において一体化した第２のシート部及び第３のシート部の向きをより安定的に規定することができる。
【００１０】
本開示の一態様では、接着領域が、第２のシート部における第２の折り返し部側の縁部を含んでもよい。このような構成では、接着領域において第２のシート部と第３のシート部が隙間なく密着する。これに対し、接着領域が第２のシート部における第２の折り返し部側の縁部を含まない構成の場合は、第２の折り返し部側において第２のシート部と第３のシート部との間に隙間が生じる。このため、当該端部が接着領域に含まれない構成と比較して、当該端部が接着領域に含まれる構成では、接着領域において厚みが出ないようにすることができる。したがって、包装シートを複数枚重ねた際に、包装シートをかさばりにくくすることができる。
【００１１】
本開示の一態様では、接着領域は、第２の折り返し部に沿った方向に延びる線であって第２のシート部を２つの領域に区分する線よりも第２の折り返し部側の全領域であってもよい。このような構成によれば、第２の折り返し部に対して垂直な方向に引っ張られるような力が包装シートに働いた場合、接着領域が全領域でない場合と比較して、包装シートにおける第２のシート部と第３のシート部とが重なっている部分が広がるのを抑制することができる。
【００１２】
本開示の一態様では、当該包装シートの一方の面は、熱溶着性を有するアクリル樹脂系のコート材の層により形成されていてもよく、接着領域は、一方の面が熱溶着されることにより形成されていてもよい。なお、熱溶着性を有するアクリル樹脂系のコート材として、アクリル樹脂を主成分とする樹脂のエマルジョン又はディスパージョンを用いてもよい。このような構成によれば、接着領域において熱溶着を可能としつつ、廃棄された場合において、例えば、ポリエチレン系の層を用いて熱溶着される構成と比較して、紙にコートされる樹脂量が少なく、比較的容易に紙から分離することができるので、紙（セルロース）を分離しやすく、容易に紙として再生することが可能であるため、環境に優しい包装シートを提供することができる。
【図面の簡単な説明】
【００１３】
【図１】包装シートの正面図である。
【図２】部分接着領域が接着されていない状態の包装シートを示す模式的な斜視図である。
【図３】図１のＩＩＩ−ＩＩＩ断面図である。
【図４】図１のＩＶ−ＩＶ断面図である。
【図５】包装シートによる食品の包装手順を示す図である。
【発明を実施するための形態】
【００１４】
以下、本開示の例示的な実施形態について図面を参照しながら説明する。
［１．構成］
図１〜図４に示す包装シート１は、ハンバーガー等の手づかみで食べる食品を包装するためのシート材である。包装シート１の使用者は、包装シート１によって包装された食品を食べるときには、食品の一部を包装シート１から露出させ、包装シート１を介して食品を把持する。包装シート１は、後述する方法で中央部が折り返されており、その外観は長方形状である。図１に示すように、本実施形態では、包装シート１の長手方向に沿った辺、つまり長辺の長さは３５３ｍｍであり、包装シート１の短手方向に沿った辺、つまり短辺の長さは２９０ｍｍである。また、包装シート１は、坪量が１７〜７５ｇｓｍ好ましくは２０〜４０ｇｓｍの紙などからなるシート材である。図３及び図４では、包装シート１の形状を分かりやすくするため、厚みを実際よりも強調して示している。
【００１５】
包装シート１には、厚み方向に少なくとも２つ以上の層を積層することにより構成されたシート材が使用されている。本実施形態では、食品が包装された状態において外側（手が触れる側）の面となる第１の面１０ａは紙の層により形成され、内側（食品側）の面となる第２の面１０ｂはポリエチレンの層により形成される。なお、紙の層は印刷されたものであってもよい。第２の面１０ｂのポリエチレン層は、包装シート１により包装された食品の油や汁等が包装シート１に染みて外部へ漏れ出すことを抑制する。なお、図１及び図２においては、手前の面が外側（手が触れる側）の面であり、奥の面が内側（食品側）の面である。また、図３及び図４においては、向かって左側の面が外側（手が触れる側）の面であり、向かって右側の面が内側（食品側）の面である。
【００１６】
包装シート１は、互いに平行な２つの折り返し部１３，１４で中央部にて折り返されている。本実施形態では、２つの折り返し部１３，１４は、包装シート１の輪郭である長方形の一辺と平行にそれぞれ形成されている。包装シート１を第１の面１０ａ側（手が触れる側）から見たときに、第２の折り返し部１４は手前に位置し、第１の折り返し部１３は奥（食品側）に位置する。
【００１７】
包装シート１は、２つの折り返し部１３，１４により３つの長方形状のシート部（第１のシート部１５、第２のシート部１６及び第３のシート部１７）に区分される。第１のシート部１５は、第１の折り返し部１３を介して第２のシート部１６に連続する。第２のシート部１６は、第２の折り返し部１４を介して第３のシート部１７に連続する。
【００１８】
包装シート１が２つの折り返し部１３，１４に沿って折り返されることにより、第１のシート部１５、第２のシート部１６及び第３のシート部１７が重なった重複部１８が包装シート１の中央部に形成されている。重複部１８は、包装シート１がＮ字状に折り返されて３重になるように形成されている。ここでいうＮ字状に折り返されるとは、１つの折り返し部でいったん包装シート１が折り返されて、包装シート１の折り返された部分が、上記折り返し部で折り返された方向と逆方向に更に折り返されることを意味する。重複部１８において、第２のシート部１６の第１の面１０ａと第１のシート部１５の第１の面１０ａとは対向して重なり合っている。また、重複部１８において、第２のシート部１６の第２の面１０ｂと第３のシート部１７の第２の面１０ｂとも対向して重なり合っている。
【００１９】
図２及び図３に示すように、第２のシート部１６は、第３のシート部１７と対向する第２の面１０ｂ（ポリエチレンの層からなる面）に、接着領域１６ａと、非接着領域１６ｂと、を有する。接着領域１６ａは、第２のシート部１６の第２の面１０ｂが、ヒートシールにより第３のシート部１７の第２の面１０ｂと接着されている領域である。非接着領域１６ｂは、第２のシート部１６における接着領域１６ａよりも第１の折り返し部１３側の領域であって、第２のシート部１６の第２の面１０ｂが第３のシート部１７の第２の面１０ｂと接着されていない領域である。
【００２０】
本実施形態では、接着領域１６ａは、第２のシート部１６における第２の折り返し部１４側の縁部を含む。また、本実施形態では、接着領域１６ａは、第２の折り返し部１４に沿った方向に延びる線であって、第２のシート部１６を２つの領域に区分する線である、境界線１６ｃよりも、第２の折り返し部１４側の全領域である。つまり、本実施形態では、第２の折り返し部１４から境界線１６ｃまでの全領域において、ヒートシールにより第２のシート部１６と第３のシート部１７とが接着されている。このため、第２のシート部１６及び第３のシート部１７が部分的に一体化している。以下では、接着領域１６ａにおいて、第２のシート部１６及び第３のシート部１７が一体化している部分をつまみ部２０という。なお、図１及び図２では、接着領域１６ａはハッチングで示されている。本実施形態では、第１の折り返し部１３から第２の折り返し部１４までの長さ、換言すると、包装シート１の長手方向に沿った第２のシート部１６の長さは１５ｍｍである。本実施形態では、境界線１６ｃは、第２の折り返し部１４から約５ｍｍ離れた位置において、第２の折り返し部１４と平行に延びる線である。なお、図２では、説明の便宜上、重複部１８において、後述する部分接着領域１６ｄ，１６ｅが接着されていない状態を示している。
【００２１】
第３のシート部１７は、第２のシート部１６における非接着領域１６ｂと対向する位置に、第３のシート部１７を貫通する複数の貫通部により形成された切取線１９を有する。本実施形態の切取線１９は、第１の折り返し部１３と平行に延びる線に沿って、貫通部と非貫通部とが交互に配置されて形成されている。つまり、切取線１９は、直線状のミシン目であり、第３のシート部１７における第２のシート部１６と重なる位置に形成されている。切取線１９において、複数の非貫通部のそれぞれの長さは一定であり、また、複数の貫通部のそれぞれの長さも一定である。つまり、貫通部が一定間隔で配置されている。また、切取線１９において、貫通部の長さと非貫通部の長さとは同一である。なお、切取線１９は、食品を包装シート１で包装した状態において、包装シート１の内側（食品側）から第２のシート部１６により覆われる。
【００２２】
図１及び図４に示すように、第２のシート部１６は、第１のシート部１５と対向する第２のシート部１６の第１の面１０ａに、第１のシート部１５の第１の面１０ａと部分的に接着されている領域である２つの部分接着領域１６ｄ，１６ｅを有する。なお、図１では、部分接着領域１６ｄ，１６ｅは破線で示されている。２つの部分接着領域１６ｄ，１６ｅの形状は特に限定されないが、本実施形態では楕円形状である。２つの部分接着領域１６ｄ，１６ｅは、第２のシート部１６において、第２の折り返し部１４に沿った方向に間隔を空けて形成されている。具体的には、２つの部分接着領域１６ｄ，１６ｅは、つまみ部２０の第２のシート部１６側の面における、包装シート１の長手方向に沿った中心線を軸として左右対称となる位置に形成されている。２つの部分接着領域１６ｄ，１６ｅは、包装シート１の短手方向に沿った、２つの部分接着領域１６ｄ，１６ｅの中心点間の距離が、包装シート１の一方の長辺から当該長辺寄りに位置する部分接着領域１６ｄの中心点までの距離、及び、包装シート１の他方の長辺から当該長辺寄りに位置する部分接着領域１６ｅの中心部までの距離、のそれぞれよりも短くなるように形成されている。２つの部分接着領域１６ｄ，１６ｅの中心点間の距離が短すぎると、一体化した第２のシート部１６及び第３のシート部１７をつまみにくくなり、広すぎるとつまみ部２０が第１のシート部１５から浮き上がり、場合によっては、つまみ部２０の向きが反対側に折れ曲がってしまう。したがって、２つの部分接着領域１６ｄ，１６ｅを、包装シート１の短辺の中心から等間隔に配置し、２つの部分接着領域１６ｄ，１６ｅの中心点間の距離を３０〜１５０ｍｍとすることが好ましく、４０〜８０ｍｍとすることがより好ましい。本実施形態では、２つの部分接着領域１６ｄ，１６ｅは、包装シート１の短手方向に沿った、２つの部分接着領域１６ｄ，１６ｅの中心点間の距離が６０ｍｍとなる位置に形成されている。換言すると、本実施形態では、２つの部分接着領域１６ｄ，１６ｅは、包装シート１の短手方向に沿った、包装シート１の各長辺から２つの部分接着領域１６ｄ，１６ｅの中心点までの距離が、それぞれ１１５ｍｍとなる位置に形成されている。本実施形態では、２つの部分接着領域１６ｄ，１６ｅにおいて、第１のシート部１５の第１の面１０ａと、対向する第２のシート部１６の第１の面１０ａに、当該対向する第１の面１０ａ同士を接着させる材料（接着剤又は熱融着性コート剤）を、接着させたい所定の位置に部分的にコーティングすることにより、第２のシート部１６と第１のシート部１５とが接着されている。
【００２３】
［２．包装手順］
包装シート１による食品の包装手順を図５を用いて説明する。
（ａ）まず、包装シート１の第１の面１０ａを下にして、第２の面１０ｂ上における重複部１８の中心部に食品、例えばハンバーガーを配置する。なお、ハンバーガーは、提供される状態とは上下が逆さになるように配置する。
【００２４】
（ｂ）次に、第１の折り返し部１３と平行な第１の軸Ｘを中心に包装シート１を巻き、包装シート１の両端部が互いに重なるようにハンバーガーを包み込む。
（ｃ）次に、第１の折り返し部１３と垂直な第２の軸Ｙを中心に包装シート１を巻き、包装シート１の両端部が互いに重なるようにハンバーガーを包み込む。
【００２５】
（ｄ）その後、ハンバーガーが提供される状態となるように、ハンバーガーを包装した状態の包装シート１の上下を入れ替える。
上述した手順によって食品が包装された状態の包装シート１では、つまみ部２０が第２の折り返し部１４側に真っ直ぐ引っ張られることで、切取線１９から包装シート１が開かれる。このように、包装シート１を切取線１９から開くことで、包装シート１により包装された食品の一部を露出させることが可能となっている。
【００２６】
［３．効果］
以上詳述した実施形態によれば、以下の効果が得られる。
（３ａ）本実施形態の包装シート１によれば、切取線１９に沿って包装シート１を開くことにより、包装シート１によって全体が覆われていた食品の一部を露出させたり、食品の露出量を増やしたりすることで、食品を食べやすくすることができる。
【００２７】
（３ｂ）本実施形態の包装シート１によれば、切取線１９が重複部１８に形成されているため、包装シート１を把持している手が汚れてしまうことを抑制することができる。すなわち、仮に、重複部１８以外の部分に切取線が形成されている場合、食品を包装シートで包装した状態において、切取線は包装シートの外側（手が触れる側）及び内側（食品側）のいずれからも包装シートの一部により覆われない。その結果、切取線を通じて食品の油や汁等が漏れ出し、食品を把持している手が汚れてしまう場合がある。それに対し、本実施形態のように重複部１８、具体的には、第３のシート部１７における第２のシート部１６と重なる位置に切取線１９が形成されている構成では、切取線１９が第２のシート部１６により覆われる。そのため、例えば、包装シート１で食品を把持して食べる場合に、包装シート１を把持している手が食品の油や汁等により汚れてしまうことを抑制することができる。また、例えば、包装シート１によって包装された食品を他の食品（例えば飲み物）等と同じ袋に入れて持ち運ぶ場合であっても、食品の油や汁等により他の食品等が汚れてしまうことを抑制することができる。
【００２８】
また、本実施形態では、第３のシート部１７における第２のシート部１６と重なる位置に切取線１９が形成されている。このため、つまみ部２０を第２の折り返し部１４側に真っ直ぐ引っ張ることで、切取線１９から包装シート１を開くことが可能である。したがって、つまみ部の一部を捲り返すように上方へ引っ張って包装シートを開く構成と比較して、少ない力で開きやすく、包装シート１を開く際に包装された内容物の形状が損なわれることを生じにくくすることができる。具体的には、例えば、包装シート１に包装されたハンバーガーのバンズの両端が、包装シート１を開く際に削れてしまうことを生じにくくすることができる。
【００２９】
（３ｃ）本実施形態の包装シート１によれば、第２のシート部１６は、第１のシート部１５と対向する第１の面１０ａに２つの部分接着領域１６ｄ，１６ｅを有しているため、第１のシート部１５に対するつまみ部２０の向きを規定することができる。すなわち、仮に、第２のシート部が２つの部分接着領域を有しない場合、第１のシート部１５に対するつまみ部の向きが規定されない。そのため、例えば、食品を包装するために第１の面１０ａを下にして包装シートを置いた際に、第３のシート部１７に形成された切取線１９が第３のシート部１７と対向するように、つまみ部が反対側に折れ曲がった状態で包装シートが置かれる場合がある。そして、つまみ部が反対側に折れ曲がった状態で内容物が包装シートにより包装された場合、つまみ部を第２の折り返し部１４側に真っ直ぐ引っ張る力が加わる面に切取線１９が無い状態となる。その結果、つまみ部を第２の折り返し部１４側に真っ直ぐ引っ張ることで、切取線１９から包装シートを開くことができなくなる。それに対し、本実施形態のように第２のシート部１６が２つの部分接着領域１６ｄ，１６ｅを有する構成では、つまみ部２０が反対側に折れ曲がろうとする力が加わった場合でも、つまみ部２０が２つの部分接着領域１６ｄ，１６ｅにより第１のシート部１５に接着されている。このため、つまみ部２０が反対側に折れ曲がることが抑制される。したがって、第１のシート部１５に対するつまみ部２０の向きを規定することができる。
【００３０】
（３ｄ）本実施形態では、第２の折り返し部１４に沿った方向に間隔を空けて、２つの部分接着領域１６ｄ，１６ｅが形成されている。このため、部分接着領域が１つしか形成されていない構成と比較して、第１のシート部１５に対するつまみ部２０の向きをより安定的に規定することができる。
【００３１】
（３ｅ）本実施形態では、接着領域１６ａは、第２のシート部１６における第２の折り返し部１４側の縁部を含むため、接着領域１６ａにおいて第２のシート部１６と第３のシート部１７とが隙間なく密着する。これに対し、接着領域が第２のシート部における第２の折り返し部１４側の縁部を含まない構成の場合は、第２の折り返し部１４側において第２のシート部と第３のシート部１７との間に隙間が生じる。このため、当該端部が接着領域に含まれない構成と比較して、当該端部が接着領域１６ａに含まれる構成では、接着領域１６ａにおいて厚みが出ないようにすることができる。したがって、包装シート１を複数枚重ねた際に、包装シート１をかさばりにくくすることができる。
【００３２】
（３ｆ）本実施形態では、接着領域１６ａは、境界線１６ｃよりも第２の折り返し部１４側の全領域である。このため、第２の折り返し部１４に対して垂直かつ第１のシート部１５の第１の面１０ａに対して平行な方向に引っ張られるような力が包装シート１に働いた場合、接着領域１６ａが全領域でない場合と比較して、包装シート１における第２のシート部１６と第３のシート部１７とが重なっている部分が広がるのを抑制することができる。すなわち、例えば、接着領域が上述した部分接着領域１６ｄ，１６ｅのように、第２の折り返し部１４に沿って間隔を空けて複数形成されている場合、上述したような力が包装シートに働くと、包装シートにおける第２のシート部と第３のシート部とが重なっている部分における接着領域でない部分が広がる場合がある。また、このような例では、上述したような力が包装シートに働くと、複数の接着領域のそれぞれに力が集中し、当該接着領域において包装シートが破れてしまう場合がある。それに対し、本実施形態のように第２の折り返し部１４から境界線１６ｃまでの全領域が接着領域１６ａである構成では、上述したような力が包装シート１に働いた場合でも、包装シート１における第２のシート部１６と第３のシート部１７とが重なっている部分が広がるのを抑制することができる。また、本実施形態のような構成では、つまみ部２０が接着されていない場合と比較して厚みとこしを与えることができ、しっかりと張った状態となるため、包装シート１を開けるために掴むつまみ部２０を掴みやすくすることができる。
【００３３】
（３ｇ）本実施形態では、包装シート１の第１の面１０ａは紙の層により形成され、第２の面１０ｂはポリエチレンの層により形成される。つまり、第１の面１０ａは熱融着性を有さない材質から構成され、第２の面１０ｂは熱融着性を有する材質から構成される。そのため、包装シート１の製造工程において、ヒートシールしたい箇所のみヒートシールすることができる。すなわち、仮に、包装シートの第１の面及び第２の面がともに熱融着性を有する材質から構成されている場合、包装シートの製造工程において、第２の面同士をヒートシールしたい場合であっても第１の面同士がヒートシールされることがある。それに対し、本実施形態の構成では、ヒートシールしたい面である第２の面１０ｂ同士のみをヒートシールすることができる。
【００３４】
［４．他の実施形態］
以上、本開示の実施形態について説明したが、本開示は、上記実施形態に限定されることなく、種々の形態を採り得る。
【００３５】
（４ａ）上記実施形態では、接着領域１６ａは境界線１６ｃよりも第２の折り返し部１４側の全領域であったが、接着領域は全領域でなく、一部の領域であってもよい。例えば、接着領域は、第２の折り返し部１４から境界線１６ｃまでの領域において、第２の折り返し部１４に沿った方向に間隔を空けて複数形成されてもよい。また、例えば、接着領域は、第２のシート部における第２の折り返し部１４側の端部を含まない構成であってもよい。
【００３６】
（４ｂ）上記実施形態では、境界線１６ｃは第２の折り返し部１４と平行に延びる線であったが、例えば、境界線は、第２の折り返し部１４に平行な線でなくてもよい。また、境界線は、直線でなくてもよく、例えば曲線であってもよい。
【００３７】
（４ｃ）２つの部分接着領域１６ｄ，１６ｅの形状は、楕円形に限定されず、円形・矩形などの形状でもあってもよい。また、部分接着領域は、包装シート１のつまみ部２０における短手方向の中心部分に、つまめる程度に、第２のシート部１６の第１の面１０ａと第１のシート部１５の第１の面１０ａとが接着していない領域であるつまみ領域を残して、当該つまみ領域の両側の全領域において第２のシート部１６の第１の面１０ａと第１のシート部１５の第１の面１０ａとが接着するように形成されていてもよい。このような構成において、包装シート１の短手方向に沿った、つまみ領域の各縁間の距離は、３０〜１５０ｍｍとすることが好ましく、４０〜８０ｍｍとすることがより好ましい。
また、上記実施形態では、第２のシート部１６は２つの部分接着領域１６ｄ，１６ｅを有する構成であったが、部分接着領域の数は、１つ又は３つ以上であってもよい。
（４ｄ）上記実施形態の切取線１９では、非貫通部分の長さは一定であり、貫通部分の長さも一定であったが、これに限られず、非貫通部分の長さは一定でなくてもよく、貫通部分の長さも一定でなくてもよい。
【００３８】
また、貫通部分の長さと非貫通部分の長さとは同一であったが、これに限られない。また、貫通部分の長さ及び非貫通部分の長さ並びにこれらの組合せは特に限定されない。例えば、貫通部分の長さ及び非貫通部分の長さの組合せ（貫通部分の長さ／非貫通部分の長さ）は、１ｍｍ／１ｍｍ、２ｍｍ／１ｍｍ、３ｍｍ／１ｍｍ、３ｍｍ／２ｍｍ、４ｍｍ／１ｍｍ、４ｍｍ／２ｍｍ、５ｍｍ／１ｍｍ、５ｍｍ／２ｍｍ等、任意であってよい。また、例えば、貫通部分の長さは、非貫通部分の長さに比べて十分大きくてもよい。
【００３９】
また、切取線は、連続した丸孔であってもよい。また、上記実施形態では切取線１９は直線状に形成されていたが、切取線の形状はこれに限られない。例えば、切取線は曲線状に形成されていてもよい。
【００４０】
（４ｅ）上記実施形態では、包装シート１の外観は長方形状であったが、包装シートの外観の形状はこれに限られない。例えば、包装シートの外観は、ひし形状、楕円形状等であってもよい。
【００４１】
（４ｆ）上記実施形態では、２つの折り返し部１３，１４は互いに平行であったが、２つの折り返し部は互いに平行でなくてもよい。また、上記実施形態では、２つの折り返し部１３，１４は包装シート１の輪郭である長方形の一辺と平行に形成されていたが、２つの折り返し部は、上記長方形の一辺と平行に形成されていなくてもよい。また、上記実施形態では、包装シート１に使用されたシート材は薄紙と同程度の厚みを有していたが、シート材の厚みはこれに限られない。
【００４２】
（４ｇ）上記実施形態では、包装シート１として、紙の層及びポリエチレンの層の２つの層を積層することにより構成されたシート材が使用されていたが、例えば、紙の層、ポリエチレンの層及び不織布の層等の３つの層を積層することにより構成されたシート材であってもよい。また、ポリエチレン等の材質に限られず、ポリプロピレン、アイオノマー等の材質が使用されてもよい。
【００４３】
また、紙の層に熱溶着性を有するポリエチレン以外の樹脂の耐油・耐水性コート材（水系ディスパージョン）をコーティングすることにより２層構造を有するシート材が使用されてもよい。熱溶着性を有するポリエチレン以外の樹脂の耐油・耐水性の水系コート材としては、例えば、ポリオレフィン樹脂系のケミパールＳ（三井化学株式会社製）、アクリル樹脂系のハービル（株式会社第一塗料製造所製）、フィルハーモ（東洋アドレ株式会社製）、ハイドレクト（ＤＩＣ株式会社製）などがあり、耐水性・耐油性・熱溶着性・食品衛生性が、目的とする用途に適合すれば、いずれを用いてもよい。このような構成によれば、熱溶着性を有するため、接着領域において熱溶着を可能としつつ、廃棄された場合において、例えば、ポリエチレン樹脂を紙に押出コーティングして２層構造のシート材が作成される構成と比較して、熱溶着性を有するポリエチレン以外の樹脂の耐油・耐水性コート材をコートした構成は、紙にコートされる樹脂量が少なく、比較的容易に紙から分離することができるので、紙（セルロース）をコート材から剥離しやすく、容易に紙として再生することが可能であるため、環境に優しい包装シートを提供することができる。
【００４４】
また、上記実施形態では、包装シート１の第１の面１０ａを構成する材質と第２の面１０ｂを構成する材質とは互いに相違していたが、第１の面を構成する材質と第２の面を構成する材質とは同じであってもよい。また、上記実施形態では、複数の層を有するシート材が使用されたが、１つの層のみを有するシート材が使用されてもよい。１つの層のみを有するシート材としては、例えば、熱溶着可能なプラスチック（ポリエチレン、ポリプロピレン、ポリエステル）のフィルム等が挙げられる。また、これらの樹脂フィルムを表面に貼合した（ポリエステル、ポリアミド、ポリプロピレン等の）２軸延伸フィルムや、セロハン、レーヨン紙などであってもよい。
【００４５】
（４ｈ）上記実施形態の包装シート１には、２つの折り返し部１３，１４が形成され、３つのシート部１５，１６，１７が形成されていた。しかし、折り返し部及びシート部の数はこれに限られない。また、上記実施形態では、包装シート１に１つの切取線１９が形成されていたが、包装シートには２つ以上の切取線が形成されていてもよい。また、上記実施形態では、包装シート１に１つの重複部１８が形成されていたが、包装シートには２つ以上の重複部が形成されていてもよい。
【００４６】
（４ｉ）包装シートは、包装シートにおける４辺のうち少なくとも２辺がヒートシール等によりシールされた袋状等であってもよい。
（４ｊ）上記実施形態における１つの構成要素が有する機能を複数の構成要素として分散させたり、複数の構成要素が有する機能を１つの構成要素に統合させたりしてもよい。また、上記実施形態の構成の少なくとも一部を、同様の機能を有する公知の構成に置き換えてもよい。また、上記実施形態の構成の一部を省略してもよい。また、上記実施形態の構成の少なくとも一部を、他の上記実施形態の構成に対して付加又は置換してもよい。
【符号の説明】
【００４７】
１…包装シート、１０ａ…第１の面、１０ｂ…第２の面、１３…第１の折り返し部、１４…第２の折り返し部、１５…第１のシート部、１６…第２のシート部、１６ａ…接着領域、１６ｂ…非接着領域、１６ｃ…境界線、１６ｄ，１６ｅ…部分接着領域、１７…第３のシート部、１８…重複部、１９…切取線、２０…つまみ部。
【図１】
2020189660.tif 000003
【図２】
2020189660.tif 000004
【図３】
2020189660.tif 000005
【図４】
2020189660.tif 000006
【図５】
2020189660.tif 000007
【手続補正書】
【提出日】令和2年8月21日(2020.8.21)
【手続補正１】
【補正対象書類名】特許請求の範囲
【補正対象項目名】全文
【補正方法】変更
【補正の内容】
【特許請求の範囲】
【請求項１】
食品を包装するための包装シートであって、
少なくとも２つの折り返し部により区分される少なくとも３つのシート部を備え、
前記少なくとも２つの折り返し部は、第１の折り返し部と、第２の折り返し部と、を有し、
前記少なくとも３つのシート部は、第１のシート部と、前記第１のシート部と前記第１の折り返し部を介して連続する第２のシート部と、前記第２のシート部と前記第２の折り返し部を介して連続する第３のシート部と、を有し、
前記第２のシート部は、前記第３のシート部と対向する面に、前記第３のシート部と接着されている領域である接着領域と、前記接着領域よりも前記第１の折り返し部側の領域であって前記第３のシート部と接着されていない領域である非接着領域と、を有し、
前記第３のシート部は、前記非接着領域と対向する位置に、前記第３のシート部を貫通する複数の貫通部により形成された切取線を有する、包装シート。
【請求項２】
請求項１に記載の包装シートであって、
前記第２のシート部は、前記第３のシート部と対向する面とは反対側の面であって前記第１のシート部と対向する面に、前記第１のシート部と部分的に接着されている領域である部分接着領域を有する、包装シート。
【請求項３】
請求項２に記載の包装シートであって、
前記部分接着領域は、前記第２の折り返し部に沿った方向に間隔を空けて複数形成されている、包装シート。
【請求項４】
請求項２又は請求項３に記載の包装シートであって、
前記部分接着領域は、所定の形状に形成される第１の部分接着領域及び第２の部分接着領域を有し、
前記第１の部分接着領域及び前記第２の部分接着領域は、
前記接着領域において前記第２のシート部及び前記第３のシート部が一体化している部分であるつまみ部に形成され、
前記第２の折り返し部に沿った方向に沿った、前記第１の部分接着領域及び前記第２の部分接着領域の中心点間の距離が、当該包装シートの一方の辺から当該一方の辺寄りに位置する前記第１の部分接着領域の中心点までの距離、及び、当該包装シートの他方の辺から当該他方の辺寄りに位置する前記第２の部分接着領域の中心点までの距離、のそれぞれよりも短くなるように形成されている、包装シート。
【請求項５】
請求項２又は請求項３に記載の包装シートであって、
前記部分接着領域は、
前記接着領域において前記第２のシート部及び前記第３のシート部が一体化している部分であるつまみ部に形成され、
当該包装シートの前記つまみ部における前記第２の折り返し部に沿った方向の中心部分に、つまめる程度に、前記第１のシート部と前記第２のシート部とが接着していない領域であるつまみ領域を残して接着するように形成されている、包装シート。
【請求項６】
請求項５に記載の包装シートであって、
前記部分接着領域は、前記つまみ領域の両側の全領域において前記第１のシート部と前記第２のシート部とが接着するように形成されている、包装シート。
【請求項７】
請求項１から請求項６までのいずれか１項に記載の包装シートであって、
前記接着領域が、前記第２のシート部における前記第２の折り返し部側の縁部を含む、包装シート。
【請求項８】
請求項１から請求項７までのいずれか１項に記載の包装シートであって、
前記接着領域は、前記第２の折り返し部に沿った方向に延びる線であって前記第２のシート部を２つの領域に区分する前記線よりも前記第２の折り返し部側の全領域である、包装シート。
【請求項９】
請求項１から請求項８までのいずれか１項に記載の包装シートであって、
当該包装シートの一方の面は、熱溶着性を有するアクリル樹脂系のコート材の層により形成されており、
前記接着領域は、前記一方の面が熱溶着されることにより形成されている、包装シート。